(57)【要約】      （修正有）【課題】遮断器の監視制御装置及び配電箱を提供する。【解決手段】当該遮断器の監視制御装置は、磁石１と、ホールセンサ２と、コントローラ３とを備え、磁石１は、監視制御しようとする遮断器のスイッチ４に設けられ、磁石１の位置がスイッチ４のオンオフに従って変更できるように構成され、スイッチ４は、前記遮断器の開閉を制御するように構成され、ホールセンサ２は、磁石１が位置する位置を表示する位置情報を含む磁石１の位置信号を取得するように構成され、コントローラ３は、ホールセンサ２に接続され、ユーザへ遮断器の開閉状態を通知するために、位置信号を受信するとともに位置信号に基づいて通知信号を生成するように構成されているので、従来技術で遮断器の開閉状態を容易に把握できない技術課題を軽減することができる。【選択図】図１
0003214953.tif 000002
【実用新案登録請求の範囲】
【請求項１】
磁石と、ホールセンサと、コントローラとを備え、
前記磁石は、監視制御しようとする遮断器のスイッチに設けられ、前記磁石の位置は、前記スイッチのオンオフに従って変更でき、前記スイッチは、前記遮断器の開閉を制御するように構成され、
前記ホールセンサは、前記磁石が位置する位置を表示する位置情報を含む前記磁石の位置信号を取得するように構成され、
前記コントローラは、前記ホールセンサに接続され、ユーザへ前記遮断器の開閉状態を通知するために、前記位置信号を受信するとともに前記位置信号に基づいて通知信号を生成するように構成されていることを特徴とする、
遮断器の監視制御装置。
【請求項２】
前記ホールセンサは、単極ホールスイッチであり、
前記単極ホールスイッチは、前記磁界方向に基づいてホール電圧のアナログ信号を出力するか否かを制御でき、前記コントローラは、前記ホール電圧のアナログ信号に基づいて前記通知信号を生成するように構成されることを特徴とする、請求項１に記載の遮断器の監視制御装置。
【請求項３】
前記コントローラは、ワンチップマイクロコンピュータとプロセッサとを備え、前記ワンチップマイクロコンピュータは、前記単極ホールスイッチと前記プロセッサとの間に設置され、
前記ワンチップマイクロコンピュータは、前記単極ホールスイッチから前記ホール電圧のアナログ信号を出力した後、前記単極ホールスイッチから出力された高レベル又は低レベルを取得して、信号をデジタル信号に変換し、さらに前記ワンチップマイクロコンピュータ内部に焼き込まれたプログラムに基づいて、取得したデジタル信号を指定プロトコル内にパッケージしてから、シリアルポートを介してデータをマザーボードに出力するように構成されていることを特徴とする、請求項２に記載の遮断器の監視制御装置。
【請求項４】
前記コントローラは、外部インターフェースとリードオンリーメモリとを備え、前記リードオンリーメモリと前記外部インターフェースとは、それぞれ前記プロセッサに接続され、
前記リードオンリーメモリに、既定プログラムと前記既定プログラムの設定ファイルが記憶され、前記プロセッサは、前記既定プログラムと前記設定ファイルに基づいて作動するように構成され、
前記外部インターフェースは、外部制御設備で前記既定プログラムと前記設定ファイルを設定するために、前記外部制御設備に接続するように構成されていることを特徴とする、請求項３に記載の遮断器の監視制御装置。
【請求項５】
さらに、前記プロセッサに接続されるランダムアクセスメモリを備え、前記ランダムアクセスメモリに、前記位置信号と前記既定プログラムが実行する過程におけるバッファデータが記憶されていることを特徴とする、請求項４に記載の遮断器の監視制御装置。
【請求項６】
さらに、前記コントローラに接続され且つディスプレイと指示灯との少なくとも１つを有する表示装置を備え、
前記表示装置は、前記通知信号に含まれている通知情報を表示させるように構成されていることを特徴とする、請求項１に記載の遮断器の監視制御装置。
【請求項７】
さらに、前記コントローラに接続されるとともに前記ユーザの端末設備に通信接続される無線データ伝送装置を備え、
前記無線データ伝送装置は、前記通知信号を前記端末設備に送信するように構成されていることを特徴とする、請求項１に記載の遮断器の監視制御装置。
【請求項８】
箱体と、遮断器と、請求項１〜７のいずれか１つに記載の遮断器の監視制御装置とを備え、
前記遮断器と前記遮断器の監視制御装置とは、前記箱体内に設けられ、
前記遮断器のスイッチは、前記遮断器が制御する回路である目標回路の入線と出線に接続されていることを特徴とする、
配電箱。
【請求項９】
前記遮断器は複数個有し、前記遮断器の監視制御装置のそれぞれは、１つコントローラと、複数の磁石と、複数のホールセンサと備え、
前記コントローラは、各前記ホールセンサに接続され、
各前記遮断器のスイッチは、それぞれ対応する前記目標回路の入線と出線に接続され、
各前記遮断器のスイッチにそれぞれ１つの前記磁石が設けられ、
各前記ホールセンサは、対応する前記磁石の位置信号を取得するように配置されていることを特徴とする、請求項８に記載の配電箱。
【考案の詳細な説明】
【技術分野】
【０００１】
本考案は、配電設備の技術分野に関し、特に遮断器の監視制御装置及び配電箱に関する。
【背景技術】
【０００２】
遮断器は、回路の故障が検出された場合、自動的に電力の供給を遮断する漏電保護設備である。また、多くの場合、回路の故障（例えば、落雷と風害）が一時的なものであり、このとき、遮断器は、回路の故障から回復した後、自動的に回路を閉路して、電力の供給を回復させることができる。具体的には、遮断器のスイッチは、遮断器により制御される回路に設けられ、回路の入線と出線はそれぞれ遮断器のスイッチに接続されている。遮断器は、そのスイッチのオンオフに基づき開閉状態を制御することによって、電力の供給の遮断及び回復に対する制御を実現する。
【０００３】
従来の遮断器に関して、従業員が現場でスイッチのオンオフをチックすることで遮断器の開閉状態を把握するので、従業員の作業量を増加してしまた。また、遮断器は、実際に使用された場所の複雑性により、容易に接触できる場所に装着する場合があるし、容易に接触できない危険場所に装着する場合があるので、現場で遮断器の開閉状態を確認することは、従業員に対して潜在的な危険性を引き起こす作業である。
【０００４】
現在、上記のような従来技術で遮断器の開閉状態を容易に把握できない技術課題に対して、有効な解決案が欠けている。
【考案の概要】
【考案が解決しようとする課題】
【０００５】
本考案は、これらを鑑みてなされたものであり、従来技術で遮断器の開閉状態を容易に把握できない技術課題を軽減するように、遮断器の監視制御装置を提供することを目的とする。
【０００６】
また、本考案は、従来技術で遮断器の開閉状態を容易に把握できない技術課題を軽減するように、配電箱を提供することを更なる目的とする。
【課題を解決するための手段】
【０００７】
第１局面において、本考案の実施例に係る遮断器の監視制御装置は、磁石と、ホールセンサと、コントローラとを備え、
前記磁石は、監視制御しようとする遮断器のスイッチに設けられ、前記磁石の位置は、前記スイッチのオンオフに従って変更でき、前記スイッチは、前記遮断器の開閉を制御するように構成され、
前記ホールセンサは、前記磁石が位置する位置を表示する位置情報を含む前記磁石の位置信号を取得するように構成され、
前記コントローラは、前記ホールセンサに接続され、ユーザへ前記遮断器の開閉状態を通知するために、前記位置信号を受信するとともに前記位置信号に基づいて通知信号を生成するように構成されている。
【０００８】
第１局面に関連し、本考案の実施例は、第１局面の第１実施形態を提供し、
前記ホールセンサは、単極ホールスイッチであり、
前記単極ホールスイッチは、前記磁界方向に基づいてホール電圧のアナログ信号を出力するか否かを制御でき、前記コントローラは、前記ホール電圧のアナログ信号に基づいて前記通知信号を生成するように構成される。
【０００９】
第１局面の第１実施形態に関連し、本考案の実施例は、第１局面の第２実施形態を提供し、前記コントローラは、ワンチップマイクロコンピュータとプロセッサとを備え、前記ワンチップマイクロコンピュータは、前記単極ホールスイッチと前記プロセッサとの間に設置され、前記ワンチップマイクロコンピュータは、前記単極ホールスイッチから前記ホール電圧のアナログ信号を出力した後、前記単極ホールスイッチから出力された高レベル又は低レベルを取得して、信号をデジタル信号に変換し、さらに前記ワンチップマイクロコンピュータ内部に焼き込まれたプログラムに基づいて、取得したデジタル信号を指定プロトコル内にパッケージしてから、シリアルポートを介してデータをマザーボードに出力するように構成されている。
【００１０】
第１局面の第２実施形態に関連し、本考案の実施例は、第１局面の第３実施形態を提供し、前記コントローラは、外部インターフェースとリードオンリーメモリとを備え、前記リードオンリーメモリと前記外部インターフェースとは、それぞれ前記プロセッサに接続され、
前記リードオンリーメモリに、既定プログラムと前記既定プログラムの設定ファイルが記憶され、前記プロセッサは、前記既定プログラムと前記設定ファイルに基づいて作動するように構成され、
前記外部インターフェースは、外部制御設備で前記既定プログラムと前記設定ファイルを設定するために、前記外部制御設備に接続するように構成されている。
【００１１】
第１局面の第３実施形態に関連し、本考案の実施例は、第１局面の第４実施形態を提供し、さらに、前記プロセッサに接続されているランダムアクセスメモリを備え、前記ランダムアクセスメモリに、前記位置信号と前記既定プログラムが実行する過程におけるバッファデータが記憶されている。
【００１２】
第１局面に関連し、本考案の実施例は、第１局面の第５実施形態を提供し、さらに、前記コントローラに接続され且つディスプレイと指示灯との少なくとも１つを有する表示装置を備え、前記表示装置は、前記通知信号に含まれている通知情報を表示させるように構成されている。
【００１３】
第１局面に関連し、本考案の実施例は、第１局面の第６実施形態を提供し、さらに、前記コントローラに接続されるとともに前記ユーザの端末設備に通信接続される無線データ伝送装置を備え、前記無線データ伝送装置は、前記通知信号を前記端末設備に送信するように構成されている。
【００１４】
第２局面において、本考案の実施例は、配電箱を提供し、箱体と、遮断器と、上記遮断器の監視制御装置とを備え、
前記遮断器と前記遮断器の監視制御装置とは、前記箱体内に設けられ、
前記遮断器のスイッチは、前記遮断器が制御する回路である目標回路の入線と出線に接続されている。
【００１５】
第２局面に関連し、本考案の実施例は、第２局面の第１実施形態を提供し、前記遮断器は複数個有し、前記遮断器の監視制御装置のそれぞれは、１つコントローラと、複数の磁石と、複数のホールセンサと備え、
前記コントローラは、各前記ホールセンサに接続され、
各前記遮断器のスイッチは、それぞれ対応する前記目標回路の入線と出線に接続され、
各前記遮断器のスイッチにそれぞれ１つの前記磁石が設けられ、
各前記ホールセンサは、対応する前記磁石の位置信号を取得するように配置されている。
【考案の効果】
【００１６】
本考案の実施例において、磁石が監視制御しようとする遮断器のスイッチに設けられるとともに、磁石の位置がスイッチのオンオフに従って変更するので、磁石の位置によりスイッチのオンオフを反映する目的を達することができる。また、スイッチが遮断器の開閉を制御するように構成されるので、磁石の位置により遮断器の開閉を反映できる。そして、ホールセンサで磁石の位置信号を取得することによって、遮断器の開閉状態の情報を取得する目的を達することができる。このため、ホールセンサに接続されたコントローラは、位置信号から生成された通知信号によって、ユーザへ遮断器の開閉状態を通知できるので、従来技術で遮断器の開閉状態を容易に把握できない技術課題を軽減することができる。
【００１７】
本考案のその他の特徴とメリットは、以下の明細書に説明される。そして、その一部は、明細書によって理解でき又は本考案を実施することによって理解できる。本考案の目的とその他のメリットは、明細書、特許請求の範囲及び図面に特に記載された構造で実現及び獲得できる。
【００１８】
本考案の上記の目的、特徴とメリットをより分かり易くするために、以下、好ましい実施例を挙げて、そして図面を参照して詳しく説明する。
【図面の簡単な説明】
【００１９】
以下、本考案を実施するための形態又は従来技術の技術方案をより明瞭に説明するために、本考案を実施するための形態又は従来技術の技術方案の説明に必要な図面を簡単に説明する。下記の図面は、本考案の一部の実施形態を示したものに過ぎず、当業者は、創造的な労働をしなくても、これらの図面からその他の関連する図面を得られると理解すべきである。
【図１】本考案の実施例１に係る遮断器が切断状態になった遮断器の監視制御装置の構成模式図である。
【図２】本考案の実施例１に係る遮断器が接続状態になった遮断器の監視制御装置の構成模式図である。
【図３】本考案の実施例２に係るコントローラと単極ホールスイッチとが接続された後の構成ブロック図である。
【図４】本考案の実施例２に係る回路基板の模式図である。
【考案を実施するための形態】
【００２０】
以下、本考案の実施例の目的、技術方案及び利点をより明瞭にするために、図面を参照して、本考案の技術方案を明瞭且つ完全に説明する。説明する実施例は、本考案の一部の実施例に過ぎず、全ての実施例ではないと理解すべきである。当業者が本考案における実施例に基づいて創造的な労働をしなくて得られる全てのその他の実施例は、本考案の保護範囲に該当する。
【００２１】
現在、従業員が、従来の遮断器の開閉状態を把握しようとすると、遮断器の装着現場に行かなければならないので、従業員の作業が不便になる。これによって、本考案の実施例は、従来技術で遮断器の開閉状態を容易に把握できない技術課題を軽減することができる遮断器の監視制御装置及び配電箱を提供する。
【００２２】
本実施例を理解させるために、先ず、本考案の実施例で公開された遮断器の監視制御装置について詳細に説明する。
【実施例１】
【００２３】
図１と図２を参照し、図１は遮断器が切断状態になったときの遮断器の監視制御装置の構成模式図であり、図２は遮断器が接続状態になったときの遮断器の監視制御装置の構成模式図である。
【００２４】
本考案の実施例に係る遮断器の監視制御装置は、図１と図２に示すように、磁石１と、ホールセンサ２と、コントローラ３とを備えている。
【００２５】
磁石１は、監視制御しようとする遮断器のスイッチ４に設けられ、磁石１の位置は、スイッチ４のオンオフに従って変更できる。スイッチ４は、遮断器の開閉を制御するように構成されている。
【００２６】
ホールセンサ２は、磁石１が位置する位置情報を含む磁石１の位置信号を取得するように構成されている。
【００２７】
コントローラ３は、ホールセンサ２に接続され、ユーザへ遮断器の開閉状態を通知するために、位置信号を受信するとともに位置信号に基づいて通知信号を生成するように構成されている。
【００２８】
磁石１は、監視制御しようとする遮断器のスイッチ４に設けられ、具体的には、遮断器のスイッチハンドルに設けることができる。遮断器が開閉の異なる状態にある場合、遮断器のスイッチハンドルの位置が異なるので、磁石１が遮断器の開閉に従って異なるところに位置する。
【００２９】
強調すべきところとして、本考案の実施例において、磁石１の磁界方向が固定されている。
【００３０】
本考案の実施例において、磁石１が、監視制御しようとする遮断器のスイッチ４に設けられるとともに、磁石１の位置がスイッチ４のオンオフに従って変更するので、磁石１の位置によりスイッチ４のオンオフを反映する目的を達することができる。また、スイッチ４が遮断器の開閉を制御するように構成されるので、磁石１の位置により遮断器の開閉を反映できる。そして、ホールセンサ２で磁石１の位置信号を取得することによって、遮断器の開閉状態の情報を取得する目的を達することができる。このため、ホールセンサ２に接続されたコントローラ３は、位置信号から生成された通知信号によって、ユーザへ遮断器の開閉状態を通知できるので、従来技術で遮断器の開閉状態を容易に把握できない技術課題を軽減することができる。また、本考案の実施例において、磁石１を監視制御しようとする遮断器のスイッチ４に設けるとともに、ホールセンサ２とコントローラ３とを配置することで、遮断器の開閉状態に対する監視制御を実現するので、従来の遮断器における機械構成び回路の配線状態を変更する必要がない。
【００３１】
本考案の実施例の好ましい一実施形態において、磁石１は、ホールセンサ２に近接して対向し、ホールセンサ２の感知範囲内に位置するとともに磁界１が感知面に垂直する状態と、ホールセンサ２から離れ、ホールセンサ２の感知範囲から離脱され、ホールセンサ２が感知できず、磁界１がホールセンサ２に平行する状態と、を含んでいる。
【００３２】
本考案の実施例のその他の好ましい実施形態において、ホールセンサ２は、単極ホールスイッチである。単極ホールスイッチは、磁界方向に基づいてホール電圧のアナログ信号を出力するか否かを制御でき、コントローラ３は、ホール電圧のアナログ信号に基づいて通知信号を生成する。
【００３３】
本考案の実施例において、ホールセンサ２が単極ホールスイッチを使用することによって、遮断器が異なる開閉状態にあるとき、ホールセンサ２がホール電圧を出力する又は出力しないので、区別が顕著であり、検出精度が高い。ホールセンサ２が単極ホールスイッチを使用すると、誤読取りのリスクを下降させることができる。
【００３４】
本考案の実施例のその他の好ましい実施形態において、図３に示すように、コントローラ３は、ワンチップマイクロコンピュータとプロセッサとを備え、ワンチップマイクロコンピュータは、単極ホールスイッチとプロセッサとの間に設置されている。本実施例において、ワンチップマイクロコンピュータは、ホールモジュールに位置し、単極ホールスイッチからの信号を処理及び伝送する機能を奏する。ワンチップマイクロコンピュータは、単極ホールスイッチからホール電圧のアナログ信号を出力した後、単極ホールスイッチから出力された高レベル又は低レベル（高低レベルが磁界の有無に対応する）を取得して、信号をデジタル信号に変換し、さらにワンチップマイクロコンピュータ内部に焼き込まれたプログラムに基づいて、取得したデジタル信号を指定プロトコル内にパッケージしてから、シリアルポート又はその他のインターフェースを介してデータをマザーボードに出力するように構成されている。
【００３５】
本考案の実施例のその他の好ましい実施形態において、図３に示すように、コントローラ３は、外部インターフェースとリードオンリーメモリ（ＲＯＭ）とを備え、リードオンリーメモリと外部インターフェースとは、それぞれプロセッサに接続されている。
【００３６】
リードオンリーメモリに、既定プログラムと既定プログラムの設定ファイルが記憶され、プロセッサは、既定プログラムと設定ファイルに基づいて作動する。
【００３７】
外部インターフェースは、既定プログラムと設定ファイルを設定するために、外部制御設備に接続するように構成されている。
【００３８】
本考案の実施例のその他の好ましい実施形態において、図３に示すように、遮断器の監視制御装置は、さらにプロセッサに接続されるランダムアクセスメモリ（ＲＡＭ）を備え、ランダムアクセスメモリに、位置信号と既定プログラムが実行する過程におけるバッファデータとが記憶されている。
【００３９】
本考案の実施例のその他の好ましい実施形態において、図３に示すように、遮断器の監視制御装置は、さらにコントローラ３に接続され且つディスプレイと指示灯との少なくとも１つを有する表示装置を備え、表示装置は、通知信号に含まれている通知情報を表示させるように構成されている。
【００４０】
具体的には、表示装置は、ユーザが遮断器の開閉状態を直接視聴するために、コントローラ３におけるプロセッサに接続され、通知信号に含まれている通知情報を表示させる。表示装置がディスプレイを備える場合、ディスプレイに通知情報を表示させ、表示装置が表示灯を備える場合、表示灯の点滅及び/又は発光色の変化によって通知情報を表示させる。
【００４１】
本考案の実施例のその他の好ましい実施形態において、遮断器の監視制御装置は、さらに無線データ伝送装置を備えている。図３を参照し、無線データ伝送装置は、コントローラ３の出力モジュールに接続されているとともに、ユーザの端末設備に通信接続されている。無線データ伝送装置は、ユーザが遮断器の開閉状態を監視且つ遠距離制御できるために、通知信号を端末設備に送信するように構成されている。
【実施例２】
【００４２】
本考案の実施例に係る配電箱は、箱体と、遮断器と、実施例１に記載の遮断器の監視制御装置とを備えている。
【００４３】
遮断器と遮断器の監視制御装置は、箱体内に設けられている。
【００４４】
遮断器のスイッチは、遮断器が制御する回路である目標回路の入線と出線に接続されている。
【００４５】
具体的には、遮断器と遮断器の監視制御装置は、箱体内に設けられ、それらの相対位置は、遮断器の監視制御装置のホールセンサが遮断器のスイッチに設置された磁体の位置を感知できるように設定されている。
【００４６】
本考案の実施例において、磁石が監視制御しようとする遮断器のスイッチに設けられるとともに、磁石の位置がスイッチのオンオフに従って変更するので、磁石の位置によりスイッチのオンオフを反映する目的を達することができる。また、スイッチが遮断器の開閉を制御するように構成されるので、磁石の位置により遮断器の開閉を反映できる。そして、ホールセンサで磁石の位置信号を取得することによって、遮断器の開閉状態の情報を取得する目的を達することができる。このため、ホールセンサに接続されたコントローラは、位置信号から生成された通知信号によって、ユーザへ遮断器の開閉状態を通知でき、従来技術で遮断器の開閉状態を容易に把握できない技術課題を軽減することができるので、配電箱の安全性を向上させるとともに、配電箱の使いやすさを向上させる。
【００４７】
本考案の実施例のその他の好ましい実施形態において、遮断器は複数個有し、遮断器の監視制御装置のそれぞれは、１つのコントローラと、複数の磁石と、複数のホールセンサとを備えている。
【００４８】
コントローラは、各ホールセンサに接続されている。
【００４９】
各遮断器のスイッチは、それぞれ対応する目標回路の入線と出線に接続されている。
【００５０】
各遮断器のスイッチにそれぞれ１つの磁石が設けられている。
【００５１】
各ホールセンサは、対応する磁石の位置信号を取得するように配置されている。
【００５２】
具体的には、図４を参照し、ホールセンサ２とコントローラ３は回路基板に設けることができ、複数のホールセンサ２は、予め設定された距離を隔てて配布され、コントローラ３は、複数のホールセンサ２に接続されている。
【００５３】
本考案の実施例において、１つのホールセンサは、１つの磁石の位置信号を取得できるため、１つのホールセンサが１つの遮断器の開閉状態を感知できるので、同時に複数の遮断器の開閉状態を監視できる。
【００５４】
当業者は、上記説明されたシステム及び装置の具体的な動作過程として、上記方法の実施例における対応過程を参照できるので、便宜のためにそれを省略する。
【００５５】
また、本考案の実施例の説明において、明確な規定と制限がない限り、「取付」、「連続」、「連接」などの用語は、広義的に理解すべきである。例えば、固定接続でもよいし、取外し可能な接続でもよいし、一体接続でもよい。そして、機械的な接続でもよいし、電気接続でもよい。また、直接に接続されてもよいし、中間物を介して間接に接続されてもよいし、２つの部材の内部の連通でもよい。当業者は、状況によって本考案における上記用語の具体的な意味を理解してもよい。
【００５６】
本考案の説明において、「上」、「左」、「右」、「鉛直」、「水平」、「内」、「外」等の用語が表す方位或いは位置関係は、図面に基づくものであり、本考案を便宜及び簡略に説明するためのものに過ぎず、該当装置或いは素子が必ず特定の方向を有し、特定の方向に構成されたり操作されたりすることを明示又は暗示するものではないと理解すべきであり、本考案に対する限定と理解すべきではない。
【００５７】
また、「第１」、「第２」、「第３」等の用語は、区別させるためのものに過ぎず、重要性を明示又は暗示するものではないと理解すべきである。
【００５８】
また、本考案の実施例の説明において、明確な規定と制限がない限り、「取付」、「連続」、「連接」などの用語は、広義的に理解すべきである。例えば、固定接続でもよいし、取外し可能な接続でもよいし、一体接続でもよい。そして、機械的な接続でもよいし、電気接続でもよい。また、直接に接続されてもよいし、中間物を介して間接に接続されてもよいし、２つの部材の内部の連通でもよい。当業者は、状況によって本考案における上記用語の具体的な意味を理解してもよい。
【００５９】
最後に、上記の実施例は、本考案の具体的な実施形態であり、本考案の技術方案を説明するものであり、制限するものではない。本考案の保護範囲は、これに限るものではない。前記実施例を参照して本考案を詳細に説明したが、当業者は、本考案に記載の技術範囲内で、前記の実施例に記載の技術方案を修正又は変更、又はその一部の技術特徴を置き換えることができる。これらの修正、変更又は置き換えは、相応する技術方案の本質を本考案の実施例の技術方案の主旨と範囲から脱離させなく、全て本考案の保護範囲内に含まれる。このため、本考案の保護範囲は、実用新案登録請求の範囲に示される。
【産業上の利用可能性】
【００６０】
本考案の実施例において、磁石が監視制御しようとする遮断器のスイッチに設けられるとともに、磁石の位置がスイッチのオンオフに従って変更するので、磁石の位置によりスイッチのオンオフを反映する目的を達することができる。また、スイッチが遮断器の開閉を制御するように構成されるので、磁石の位置により遮断器の開閉を反映できる。そして、ホールセンサで磁石の位置信号を取得することによって、遮断器の開閉状態の情報を取得する目的を達することができる。このため、ホールセンサに接続されたコントローラは、位置信号から生成された通知信号によって、ユーザへ遮断器の開閉状態を通知できるので、従来技術で遮断器の開閉状態を容易に把握できない技術課題を軽減することができる。
【符号の説明】
【００６１】
１    磁石
２    ホールセンサ
３    コントローラ
４    スイッチ
【図１】
0003214953.tif 000003
【図２】
0003214953.tif 000004
【図３】
0003214953.tif 000005
【図４】
0003214953.tif 000006